【事件の表示】
　平成　９年特許願第２２３５１９号「ビデオディスクの再生方法」拒絶査定不服審判事件〔平成１１年　３月　９日出願公開、特開平１１−　６６７０４〕について、次のとおり審決する。
【結　論】
　本件審判の請求は、成り立たない。
【理　由】
１．手続の経緯、本願発明
　本願は、平成９年８月２０日の出願であって、その請求項１から３に係る発明は、平成１４年１０月２日付け手続補正書により補正された明細書及び図面の記載からみて、その特許請求の範囲の請求項１から３に記載されたとおりのものと認められるところ、その請求項１に記載された発明（以下、「本願発明」という。）は次のとおりである。
　
「【請求項１】　ビデオディスクの不連続再生発生後の再生方法において、
  ビデオディスクがカラオケ用のビデオディスクであるか、それ以外の用途のビデオディスクであるかをディスク自身に記録しておき、
  ビデオディスクの不連続再生を検出した時、再生中ディスクがカラオケ用ビデオディスクであるか否かを前記記録を参照して判断し、
  カラオケ用ビデオディスクでなければ不連続再生の発生位置にピックアップを戻して該位置より再生を開始し、
  カラオケ用ビデオディスクであれば、音飛び先である現在位置あるいは現在位置から更に再生方向の所定位置より、本来再生すべきタイミングで再生を再開することを特徴とするビデオディスクの再生方法。」
　
　
２．引用例
１）第１引用例
　これに対し、原査定の拒絶の理由で引用された、本願の出願前に頒布された刊行物である、特開平７−３２７２０８号公報（以下、「第１引用例」という）には、図面とともに次の技術事項が記載されている。
 （ａ）
「【０００１】
【産業上の利用分野】本発明は蓄積型記録媒体の再生方法に係わり、特に、振動等によりピクアップがジャンプした場合においてピクアップをジャンプ前の位置に戻している間の蓄積型記録媒体の再生方法に関する。
【０００２】
【従来の技術】ＣＤ−ＲＯＭフォーマットで圧縮音声データと圧縮画像データを時分割記録し、最大９８トラヒック分のＡＶ再生を可能にしたビデオＣＤが実用化されている。図３はかかるビデオＣＤのディスク構成図である。ＬＩＮは各種ＴＯＣ情報が記録されるリード・インエリア、ＴＲ１〜ＴＲＮはトラック１〜トラックＮ、ＬＯＴはリード・アウトエリアである。トラック１（ＴＲ１）にはＩＳＯ9660に準拠したファイル管理情報ＰＶＤ、カラオケインフォメーション部、ビデオＣＤインフォメーション部、セグメントプレイ部、ＣＤ−Ｉアプリケーション部が設けられ、トラック２〜トラックＮにはＭＰＥＧ１（Moving Picture Image coding Experts Group 1)方式により高能率符号化(圧縮)した音声と画像データが記憶されるようになっている。　トラック１のビデオＣＤインフォメーション部には各種情報、例えば、（１）（当審注：原文はマル付き数字）ディスクに記録した動画と静止画のＩＤを記録するためのリストＩＤオフセットテーブル（ＬＯＴ）や（２）（当審注：原文はマル付き数字）リスト形式で記述した再生手順を記録するためのプレイバック・コントロール部（ＰＢＣ）等が記入されるようになっている。」
（ｂ）
「【０００８】
【発明が解決しようとする課題】車載用ビデオＣＤプレーヤではピクアップが車両の振動でジャンプすると画像や音声が飛んでしまう。このため、従来はジャンプが生じると、ピクアップをジャンプ発生前の位置に戻し、そこから画像、音声の再開をするようにしている。（以下略）」
（ｃ）
「【００１４】(c) ジャンプ発生時における画像表示制御
　図２は本発明のジャンプ発生時の画像再生制御の流れ図である。マイコン１６は、画像再生中においてＣＤ−ＲＯＭシグナルプロセッサ１４から入力された時間情報を参照してピクアップがジャンプしたか監視する（ステップ１０１）。ジャンプが発生していない場合、データハンドルコントローラ１８は、ＣＤ−ＲＯＭシグナルプロセッサ１４から入力されたＭＰＥＧデータに含まれる圧縮画像データが、ＩピクチャまたはＰピクチャであるかチェックする（ステップ１０２）。ＩまたはＰピクチャの場合には、該ＩまたはＰピクチャを画像メモリ１９に格納する（ステップ１０３）。尚、画像メモリ１９には最新のいくつかの（Ｎ枚分の）ＩまたはＰピクチャが格納されるようになっている。しかる後、あるいは、ステップ１０２においてＩまたはＰピクチャでない場合には、ＭＰＥＧデータに含まれる圧縮画像データをＭＰＥＧビデオデコーダ２０に出力し、該ビデオデコーダ２０で動画像を復号してディスプレイ画面に表示する（ステップ１０４）。以後、初めに戻ってステップ１０１以降の処理を繰り返す。
【００１５】一方、ピクアップにジャンプが発生すると、マイコン１６はデータハンドルコントローラ１８にコマ送り描画を指示すると共に、ピクアップをジャンプ開始位置に戻す復帰制御を実行する（ステップ１０５）。　データハンドルコントローラ１８はコマ送り描画指示により、画像メモリ１９に格納したＩ，Ｐピクチャを古いものから所定周期で読み出してＭＰＥＧビデオデコーダ２０に出力する（ステップ１０６）。ＭＰＥＧビデオデコーダ２０は入力されたＩ，Ｐピクチャに基づいて画像データを復号し、該復号画像データに基づいてディスプレイ画面に画像を表示する。この場合、ＭＰＥＧビデオデコーダ２０には、Ｉ，Ｐピクチャが通常の入力スピードの１／ｎの速度で入力されるため、ディスプレイ画面には１／ｎの速度でコマ送り表示が行なわれる（ステップ１０７）。
【００１６】ついで、マイコン１６はピクアップがジャンプ開始位置に復帰したかチェックし（ステップ１０８）、復帰してなければ、ステップ１０６以降のコマ送り描画処理を継続する。一方、ピクアップがジャンプ開始位置に復帰すれば、マイコン１６はコントローラ１８にコマ送り描画停止を指示する（ステップ１０９）。以後、初めに戻り、ジャンプ前の位置から画像の再生が再開する。以上、本発明を実施例により説明したが、本発明は請求の範囲に記載した本発明の主旨に従い種々の変形が可能であり、本発明はこれらを排除するものではない。」
　
　上記記載事項及び図面の記載を総合勘案すると、第１引用例には、結局、次の発明が記載されている（以下、「引用発明」という）。
　
「ビデオＣＤにおいてジャンプが発生した場合の再生方法であって、
当該ビデオＣＤにはトラック１（ＴＲ１）にカラオケインフォメーション部が設けられ、
ピクアップにジャンプが発生すると、
ピクアップをジャンプ発生位置に戻す復帰制御を実施して、ジャンプ前の位置から再生を再開する、
ビデオＣＤの再生方法」
　
２）第２引用例
　同じく、原査定の拒絶の理由で引用された、本願の出願前に頒布された刊行物である、特開平８−２０３１９５号公報（以下、「第２引用例」という）には、図面とともに次の技術事項が記載されている。
（ｄ）
「【０００１】
【産業上の利用分野】本発明は、ＣＤ−ＲＯＭ等に記録された曲名情報等の選曲情報をディスクから読み出しメモリーに記憶し、選曲情報を画面表示するカラオケ装置に関するものである。
【０００２】
【従来の技術】一般に、取り扱い上の問題からディスク表面に傷等が付き、そのために記録されたデータが正しく再生できないことがある。再生できない部分が一部でも生じたらそこから装置を停止させてディスクを交換するか、ストッカーから除去していた。
【０００３】
【発明が解決しようとする課題】したがって、カラオケデータ再生中にその傷の部分にさしかかると、そこで再生が中止したり、サーチ動作を何度も行って正常なカラオケの演奏の復帰に時間がかかり不自然な再生状態が発生する。
【０００４】
【課題を解決するための手段】そこで、本発明は再生したときに発生した読み取りエラーのアドレスを不揮発性メモリーに記録し、同一ディスクの再生時には、不揮発性メモリーに記録されている読み取りエラーアドレスを参照して、そのアドレスをスキップして再生するように成すものである。」
（ｅ）
「【００２７】次に、カラオケ演奏のために、操作装置１で再びディスク番号ｎ’及びファイル番号Ｎ’が選択されると、システム制御装置２はＣＤ−ＲＯＭ再生装置５に対して指示を出し、同様にディスク番号ｎ’のディスクをセットし、インデックス情報をメモリー３に読み取ってファイルＮ’の開始アドレス及び終了アドレスを得ると共に、不揮発性メモリー３’に記憶された情報を検索して、前に記憶されたアドレスを基にファイルＮ’に読み取り不可能ブロックがあるかどうかを調べる(Ｓ１５)。不揮発性メモリー３’には、既にファイルＮ’の領域内でエラーの発生するアドレスが記録されているので、システム制御装置２は、再生開始コマンドと共に、ファイルＮ’の開始アドレス及び再生終了アドレスとしてそのエラーアドレスから１減じたアドレスをＣＤ−ＲＯＭ再生装置５に送出する(Ｓ２３)。
【００２８】ＣＤ−ＲＯＭ再生装置５は、指定された領域の再生を終了すると再生終了コードをシステム制御装置２に送出する。システム制御装置２は、再生終了コードを受け取った後、不揮発性メモリー３’に記憶された情報を検索し、前出のエラーアドレスに続くエラーブロック数を得て、次のエラーの発生しないアドレスを算出し、それを再生開始アドレスとして再生開始コマンドと共に、ＣＤ−ＲＯＭ再生装置５に送出する。ここで、エラーブロック数が所定の値よりも小さい場合、むしろカラオケ演奏のリズムを崩さない方が良いと考えて、すぐに次の再生指示をせず、タイマーを用いてそのブロックを再生するのに要する時間からアクセスに要する時間を減じた時間待ってから次の再生指示をしてもよい。」
　
　
３．対　比
　本願発明と引用発明とを対比する。
　引用発明の「ビデオＣＤ」は本願発明の「ビデオディスク」に相当する。
　引用発明の「トラック１（ＴＲ１）にカラオケインフォメーション部が設けられ」 の点は、本願発明の「ビデオディスクがカラオケ用のビデオディスクであるか、それ以外の用途のビデオディスクであるかをディスク自身に記録しておき」に相当する。
　引用発明の「ピクアップにジャンプが発生すると」は、本願発明の「ビデオディスクの不連続再生を検出した時」に相当する。
　引用発明において「ピクアップをジャンプ発生位置に戻す復帰制御を実施して、ジャンプ前の位置から再生を再開する」ことは、本願発明の「不連続再生の発生位置にピックアップを戻して該位置より再生を開始」することに相当する。
　引用発明と本願発明とはディスクの「再生方法」である点で共通している。
　
　すると、本願発明と引用発明とは次の点で一致する。
　一致点
「ビデオディスクの不連続再生発生後の再生方法において、
  ビデオディスクがカラオケ用のビデオディスクであるか、それ以外の用途のビデオディスクであるかをディスク自身に記録しておき、
  ビデオディスクの不連続再生を検出した時、
  不連続再生の発生位置にピックアップを戻して該位置より再生を開始するビデオディスクの再生方法。」
　
　一方、次の相違点１から３の点で相違する。
（相違点１）本願発明では、ビデオディスクの不連続再生を検出した時、「再生中ディスクがカラオケ用ビデオディスクであるか否かを前記記録を参照して判断」するのに対し、引用発明には特にそのような技術事項を有しない点。
（相違点２）本願発明では、「カラオケ用ビデオディスクでなければ不連続再生の発生位置にピックアップを戻して該位置より再生を開始」するのに対し、引用発明では単に「ピクアップをジャンプ発生位置に戻す復帰制御を実施して、ジャンプ前の位置から再生を再開する」としている点。
（相違点３）本願発明においては、「カラオケ用ビデオディスクであれば、音飛び先である現在位置あるいは現在位置から更に再生方向の所定位置より、本来再生すべきタイミングで再生を再開する」のに対し、引用発明においては、特にそのような技術事項を有していない点。
　
　
４．判　断
（１）相違点２および３について
　上記２．（ｅ）に摘記したことからすると、第２引用例には、カラオケ演奏を行うＣＤ−ＲＯＭ再生装置において、エラーアドレスのデータに基づき、エラーアドレスから１減じたアドレスまで再生を終了すると、エラーアドレスとエラーブロック数のデータからつぎのエラーの発生しないアドレスを算出して再生開始アドレスとすること、及び、その際カラオケ演奏のリズムを崩さないようにタイマーを用いてそのブロックを再生するのに要する時間からアクセスに要する時間を減じた時間待ってから次の再生指示をしてもよいことが開示されているものである。
　ここで、第２引用例に記載されたものにおける「再生開始アドレス」は、所定の区間、正常な再生が行えない区間ジャンプした後の行き先である点で、引用発明においてジャンプが起こった場合のジャンプ先、及び本願発明の「音飛び先である現在位置」と共通するものである。
　また、第２引用例において「カラオケ演奏のリズムを崩さない方が良いと考えて、すぐに次の再生指示をせず、タイマーを用いてそのブロックを再生するのに要する時間からアクセスに要する時間を減じた時間待ってから次の再生指示」をすることで、本願発明の「現在位置・・・より、本来再生すべきタイミングで再生を再開」した場合と同様のタイミングで音楽が再生されることが明かである。
　第２引用例は、カラオケ用を含むビデオＣＤの再生方法に関するものである点で引用発明と共通する技術分野に属するものであるから、引用発明に、第２引用例に記載された「カラオケ演奏のリズムを崩さないように」次の再生指示をする再生方法を適用することで、相違点３について本願発明のようにすることは当業者が容易に想到しうることである。
　その際、第２引用例は、カラオケ用ＣＤ-ROMの再生を想定したものであり、それ故「カラオケ演奏のリズムを崩さない方が良い」との知見が生ずるのであるから、カラオケ以外のディスクの再生においては、引用発明のままにしておくこと、すなわちジャンプの発生した位置にピックアップを戻すように制御することは、ごく自然なことであって何ら困難は見出せないから、相違点２について本願発明にようにすることは当業者が容易に想到しうることである。
　
（２）相違点１について
　ビデオディスクを再生する際に、カラオケ用ビデオディスクか否かを判断することは当業者であれば適宜なし得る設計事項にすぎないところ、ディスク自体に当該ディスクがカラオケディスクであることを示す情報が記録されていれば当該情報を利用することでカラオケ用ディスクか否かを識別することは、当業者にとって自明な事項である。
　すなわち、第１引用例にも記載されているように、ビデオＣＤおよびその規格は本件出願当時既に周知の事項であり、ディスクに記録されたカラオケインフォメーション部がカラオケ用ビデオディスクであることを示すものであるから、同部を参照することでカラオケ用ビデオディスクか否かの判別ができることは、当業者にとって自明な事項にすぎない。
　すると、ジャンプが発生した場合の再生方法を、カラオケ用ディスクとカラオケ以外のディスクとで異ならせるのに、カラオケインフォメーション部の情報を参照することで判断することは、本願出願当時周知の事項で第１引用例にも記載されているビデオＣＤ規格を考慮すれば当業者が容易に想到しうるものである。
　なお、さらに付言すると、複数種類のディスク再生を想定するディスク再生装置においては、ディスクの種類を判別することで動作・制御等を当該ディスクの種類に対応したものとすることは普通に行われていることであり、ディスクがカラオケ用ディスクかカラオケ以外のディスクかの判別に基づいて再生方法を異ならせることもすでに知られていることにすぎない（例えば特開平９−１６１３８９号公報）。
　すると、相違点１について本願発明のようにすることは、各引用例の記載事項及び周知の事項等を参酌すれば当業者が容易に想到しうるものである。
　
　以上の検討を総合すると、各引用例記載事項及び周知の事項等に基づいて、相違点１から３について本願発明のようにすることは当業者が容易に想到しうるものである。また、その作用効果についても当業者が予測しうるものにすぎない。
　
　
５．むすび
　以上のとおり、本願の請求項１に係る発明は、特許法第２９条第２項の規定により特許を受けることができないものである。
　したがって、その余の請求項について論及するまでもなく、本願は拒絶すべきものである。
　
　よって、結論のとおり審決する。